(57)【要約】【課題】無電圧接点によって、換気扇連動装置を制御する熱線センサ付自動スイッチシステムを提供する。【構成】人体の検出を行う熱線センサ部１を備えた親器２１と換気扇３０を接続した換気扇子器２３とを備え、前記換気扇３０を制御する熱線センサ付自動スイッチシステムであって、前記熱線センサ部１の検出信号を受けて制御用の無電圧信号を生成する制御回路部５を備えてなり、前記換気扇２６を無電圧接点の動作により制御するようにしたものであることを特徴としている。【選択図】  図１
2004316982.tif 000002
【特許請求の範囲】
【請求項１】
人体の検出を行う熱線センサ部を備えた親器と換気扇を接続した換気扇子器とを備え、前記換気扇を制御する熱線センサ付自動スイッチシステムであって、前記熱線センサ部の検出信号を受けて制御用の無電圧信号を生成する制御回路部を備えてなり、前記換気扇を無電圧接点の動作により制御するようにしたものであることを特徴とする熱線センサ付自動スイッチシステム。
【請求項２】
前記親器と前記換気扇子器及び検出子器とを備え、前記検出子器に人体の検出を行う熱線センサ部を備えてなり、前記検出子器の熱線センサ部の検出信号によっても、前記換気扇を無電圧接点の動作により制御するようにしたものであることを特徴とする請求項１記載の熱線センサ付自動スイッチシステム。
【請求項３】
前記親器に、電源及び前記換気扇子器を接続したユニットを複数系統備えてなり、いずれかのユニットの熱線センサ部の信号を受けて、前記換気扇を無電圧接点により制御するようにしたものであることを特徴とする請求項１又は請求項２記載の熱線センサ付自動スイッチシステム。
【請求項４】
前記親器又は検出子器に、照明装置と照度を検出する明るさセンサ部とを備えてなり、前記換気扇を照明装置と連動制御するようにしたものであることを特徴とする請求項１乃至請求項３のいずれかに記載の熱線センサ付自動スイッチシステム。
【発明の詳細な説明】
【０００１】
【発明の属する技術分野】
本発明は、人体の検出を行う熱線センサ部を備えた親器と換気扇を接続した換気扇子器とで構成され、無電圧接点によって換気扇連動装置を制御する熱線センサ付自動スイッチシステムに関するものである。
【０００２】
【従来の技術】
従来の天井取り付け型の熱線センサ付自動スイッチシステムは、モジュール（埋め込みボックスに納まるサイズ）の中に、電源及び検出子器並びに負荷等の端子を備え、照明装置や換気扇を制御していた。このような熱線センサ付自動スイッチシステムの配線例が特開２００２−２３１４６７号公報に開示されている。この熱線センサ付自動スイッチシステムは、親器又は子器で人体及び照度をセンシングして、この結果に応じて、照明装置及び換気扇を連動制御するものである。
【０００３】
この熱線センサ付自動スイッチシステムのブロック回路図を図４に、これを用いた配線例を図５に示す。このものは、人体の検出を行う熱線センサ部１と照度を検出する明るさセンサ部２とを有する親器２１と、遠隔地で人体の検出を行う検出子器２１と、換気扇２５を接続する換気扇子器２３とで構成されている。親器２１は表面に、人体の発する熱によって人の存在を検出する熱線センサ部１と、周囲の照度を検出する明るさセンサ部２と、手動モード自動モードとを切り替える切替スイッチ３と、照明及び換気扇の動作時間をそれぞれ可変に設定する動作保持時間設定ボリューム４とが備えられている。
【０００４】
ここで、親器２１の熱線センサ部１が人体の発する熱によって人の存在を検出すると、明るさセンサ部２は周囲の照度が十分であって明るい状態であるか、周囲の照度が不足していて暗い状態であるかの検出を行う。このとき、周囲が明るさセンサ部２の点灯照度より明るい状態では、制御回路部５は、開閉部６ａを通じて照明装置３５をＯＦＦしたままで換気扇３０だけを設定時間動作させる。周囲が明るさセンサ部２の点灯照度より暗い状態ならば、制御回路部５は開閉部６ａを通じて照明装置３５をＯＮするとともに、換気扇３０を設定時間動作させる。また、遠隔地にある検出子器２２によって人の存在を検出した場合には、検出子器ライン信号検出回路７が人体検出の信号を受け、制御回路部５にその情報を伝達することによって同様の動作を行う。
【０００５】
【特許文献１】
特開２００２−２３１４６７号公報（第３−４頁、図４）
【０００６】
【発明が解決しようとする課題】
しかしながら、この熱線センサ付自動スイッチシステムの制御部６ａでは、無電圧接点を備えていないので、換気扇２５や照明装置３０の制御をするのに、商用電源の電圧２５が印加された状態で、接点を動作して開閉しなければならなかった。このために、図６に示すような、商用電源２５ａ、２５ｂに親器２１ａ、２１ｂ、検出子器２２ａ、２２ｂ、換気扇子器２３ａ、２３ｂを接続したユニットを複数系統備えた熱線センサ付自動スイッチシステムであって、いずれかのユニットの熱線センサ部１及び明るさセンサ２の信号を受けて、換気扇３０を開閉制御するよう場合には、換気扇３０用の商用電源２６が別配線となっているので、換気扇３０を開閉制御する部分に商用電源２６の電圧が印加された状態となっていた。このために、安全性を確保するために、途中にリレー又はマグネットスイッチ４０を設ける必要があった。
【０００７】
本発明は、上記事由に鑑みて為されたものであり、その目的とするところは、無電圧接点によって、換気扇を制御する熱線センサ付自動スイッチシステムを提供することにある。
【０００８】
【課題を解決するための手段】
請求項１記載の熱線センサ付自動スイッチシステムは、人体の検出を行う熱線センサ部を備えた親器と換気扇を接続した換気扇子器とを備え、前記換気扇を制御する熱線センサ付自動スイッチシステムであって、前記熱線センサ部の検出信号を受けて制御用の無電圧信号を生成する制御回路部を備えてなり、前記換気扇を無電圧接点の動作により制御するようにしたものであることを特徴ととしている。
【０００９】
請求項２記載の熱線センサ付自動スイッチシステムは、請求項１記載の構成において、前記親器と前記換気扇子器及び検出子器とを備え、前記検出子器に人体の検出を行う熱線センサ部を備えてなり、前記検出子器の熱線センサ部の検出信号によっても、前記換気扇を無電圧接点の動作により制御するようにしたものであることを特徴としている。
【００１０】
請求項３記載の熱線センサ付自動スイッチシステムは、請求項１又は請求項２記載の構成において、前記親器に、電源及び前記換気扇子器を接続したユニットを複数系統備えてなり、いずれかのユニットの熱線センサ部の信号を受けて、前記換気扇を無電圧接点により制御するようにしたものであることを特徴としている。
【００１１】
請求項４記載の熱線センサ付自動スイッチシステムは、請求項１乃至請求項２記載の構成において、前記親器又は検出子器に、照明装置と照度を検出する明るさセンサ部とを備えてなり、前記換気扇を照明装置と連動制御するようにしたものであることを特徴としている。
【００１２】
【発明の実施の形態】
（実施形態１）
本実施形態に係る熱線センサ付自動スイッチシステムを、図１、２に基づいて説明する。このものは、人体の検出を行う熱線センサ部１を備えた親器２１と、遠隔地で人体の検出を行う子器２２と、換気扇３０を接続する換気扇子器２３とで構成されている。
【００１３】
まず、親器２１の表面に、人体の発する熱によって人の存在を検出する熱線センサ部１と、周囲の照度を検出する明るさセンサ部２と、照明及び換気扇の動作時間をそれぞれ可変に設定する動作保持時間設定ボリューム４と、照明装置３５及び換気扇２６をそれぞれ手動でＯＮ、ＯＦＦさせるモード（手動モード）と各センサ部の検出信号によって自動的にＯＮ、ＯＦＦさせるモード（自動モード）を切り替える切替スイッチ３とを備えている。この切替スイッチ３は、スライド式のスイッチを用い、左にスライドさせると手動モード、中央では自動モード、右にスライドさせると連続してＯＮし続ける連続モードとなっている。また、この親器２１の内部には、熱線センサ部１及び明るさセンサ部２、切替スイッチ３及び動作保持時間設定ボリューム４からの信号を受けて無電圧信号を生成する制御回路部５と、照明装置３５を開閉するための照明用開閉部と、検出検出子器２２からの人体検出の信号を検出し制御回路部５にその旨を示す信号を送信する子器ライン信号検出回路７とが設けられている。また、親器２１は裏面に、交流電圧１００Ｖまたは２００Ｖの照明用商用電源と接続する親器用電源端子１１と、照明負荷を接続する照明端子１２と、検出子器２２を接続する親器用子器端子１３とを備えている。
【００１４】
次に、検出子器２２の表面にも、人体の発する熱によって人の存在を検出する熱線センサ部１が備えられいていて、この熱線センサ部１からの信号が親器の検出子器ライン信号検出回路７に入力するようになっている。また、検出子器２２は裏面に、親器２１と接続する左接続端子１４及び換気扇子器２３と接続する右接続端子１５とを備えている。加えて、換気扇子器２３の内部には、換気扇用の商用電源２６と換気扇負荷とを制御回路部５の制御信号を受けて無電圧で接点を開閉させる開閉部６が備えられている。また、換気扇子器２３は裏面に、検出子器２２と接続する換気扇用子器端子１６と、換気扇子器を接続する換気扇端子１７と、換気扇用商用電源２６に接続する換気扇用商用電源端子１８とを備えている。なお、図２には示してないが、親器２１、検出子器２２及び換気扇子器２３の表面はカバープレートで覆われた構造になっている。
【００１５】
次に、この熱線センサ付自動スイッチシステムの各端子配列と配線方法を図２に基づいて説明する。図２に示すように、親器２１には、１００Ｖまたは２００Ｖ系の端子からなる照明用電源端子１１、照明端子１２及び親器用子器端子１３の３端子が並設されている。そして、親器用子器端子１３から引き出された配線は検出子器２２の左接続端子１４と右接続端子１５とを介して、換気扇子器２３の換気扇用子器端子１６に接続される。また、換気扇子器２３には、換気扇端子１７及び１００Ｖまたは２００Ｖ系の換気扇用電源２６に接続する換気扇子器用電源端子１８も並設されている。ここで、図２に示すような配線により、換気扇３０は、無電圧信号によって、換気扇子器２３の内部にある無電圧接点を有する開閉部６によりＯＮ／ＯＦＦ制御される。
【００１６】
この熱線センサ付自動スイッチシステムの動作について説明する。ここでは、切替スイッチ３を自動モードに設定した場合について動作説明する。まず、明るさセンサ部２において、照明を点灯するかどうかの基準である点灯照度の設定を行う。次に、動作保持時間設定ボリューム４において、照明装置３５と換気扇３０の出力時間をそれぞれ別々に設定する。親器２１の熱線センサ部１が人体の発する熱によって人の存在を検出すると、明るさセンサ部２は周囲の照度が十分であって明るい状態であるか、周囲の照度が不足していて暗い状態であるかの検出を行う。このとき、周囲が明るさセンサ部２の点灯照度より明るい状態では、制御回路部５は照明装置３５をＯＦＦしたままで、換気扇３０だけを設定時間動作させる。周囲が明るさセンサ部２の点灯照度より暗い状態ならば、制御回路部５は照明装置３５をＯＮするとともに、換気扇３０を設定時間動作させる。また、遠隔地にある検出子器２２によって人の存在を検出した場合には、検出子器ライン信号検出回路７が人体検出の信号を受け、制御回路部５にその情報を伝達することによって同様の動作を行う。従って、検出子器２２の接続を行うことにより多箇所検知が可能になるとともに、照明装置３５と換気扇３０の連動制御を行うことができる。また、照明装置３５及び換気扇３０の動作時間をそれぞれ可変に設定することができる。ここで、本実施形態では、無電圧接点の動作により換気扇３０のＯＮ／ＯＦＦを制御しているために、リレーやマグネットスイッチが不要とすることができる。
【００１７】
なお、切替スイッチ３を手動モードに設定した場合は、熱線センサ部１や明るさセンサ部２は動作せずに、照明装置３５及び換気扇３０は、人手によって手動スイッチシステムでＯＮ／ＯＦＦするようになる。また、検出子器２２を複数個設置すれば、それぞれの場所で人体を検知して換気扇３０を自動的に動作させることができる。逆に、検出子器２２を接続することなく、親器２１に直接に換気扇子器２３を接続すれば、親器２１の人体検知のみによって、換気扇３０を動作させることができる。さらに、照明装置３５の代わりに他の負荷を接続して、自動動作させることもできる。逆に、負荷を接続しなければ、換気扇のみを自動動作させることになる。
【００１８】
本実施形態の応用例としては、トイレの照明と換気扇の自動化があげられる。具体的には、検出子器をトイレの入口付近に設置し、親器と換気扇子器とをトイレの内部に設置する。こうすることで、トイレに入る人体を検知して、照明と換気扇を自動的に一定時間動作させることができる。また、照明は、夜間等のトイレ内部が暗いときのみに動作させることができる。
【００１９】
（実施形態２）
本実施形態に係る熱線センサ付自動スイッチシステムを、図３に基づいて説明する。本実施形態では、実施形態１と同様に、親器２１ａ、検出子器２２ａ、換気扇子器２２ａを接続したユニットと、親器２１ｂ、検出子器２２ｂ、換気扇子器２２ｂとを接続した別のユニットとの２系統のユニットから共通の換気扇換気扇用の配線が引き出されている。まず、それぞれのユニットで使用されている親器２１ａ、２１ｂ、検出子器２２ａ、２２ｂ、換気扇子器２３ａ、２３ｂの構造は、実施形態１と同じである。また、それぞれの端子の接続手順も実施形態１と同じである。そして、換気扇子器２３ａ、２３ｂにおける換気扇２６の接続は、それぞれの端子で中央に配設されている換気扇端子１７ａ、１７ｂどうしを接続して、その途中から換気扇３０と換気扇用商用電源２６とを接続する配線が引き出されている。このような配線にすることにより、それぞれのユニットに配設されている熱線センサ部１のいずれかの出力信号によっても、換気扇３０を動作させることができる。
【００２０】
本実施形態の熱線センサ付自動スイッチシステムの動作は、実施形態１と略同様である。本実施形態でも、切替スイッチ３において自動モードに設定した場合について動作説明する。まず、それぞれの親器の明るさセンサ部２において、照明を点灯するかどうかの基準である点灯照度の設定を行う。次に、動作保持時間設定ボリューム４において、照明と換気扇の出力時間をそれぞれ設定する。いずれかの親器２１ａ、２１ｂの熱線センサ部１が人体の発する熱によって人の存在を検出すると、明るさセンサ部２は周囲の照度が十分であり明るい状態であるか、周囲の照度が不足しており暗い状態であるかの検出を行う。このとき、周囲が明るさセンサ部２の点灯照度より明るい状態では、照明装置３５ａ、３５ｂをＯＦＦしたままで、換気扇２６だけを設定時間動作させる。周囲が明るさセンサ部２の点灯照度より暗い状態ならば、検知した親器２１ａ、２１ｂの接続された照明装置３５ａ、３５ｂのいずれかをＯＮするとともに、換気扇２６を設定時間動作させる。また、遠隔地にある検出子器２３ａ、２３ｂによって人の存在を検出した場合にも、前記と同様の動作を行う。ここで、本実施形態では、無電圧接点の動作により換気扇３０のＯＮ／ＯＦＦを制御しているために、多系統からの信号により動作されている場合でも、リレーやマグネットスイッチが不要とすることができる。
【００２１】
本実施形態の応用例としては、複数の入口を有するトイレの照明と換気扇の自動化があげられる。具体的には、検出子器をそれぞれのトイレの入口付近に設置し、親器と換気扇子器とをトイレの内部に設置する。こうすることで、トイレに入る人体を検知して、入口付近のみの照明と換気扇を自動的に一定時間動作させることができる。また、照明は、夜間等のトイレ内部が暗いときのみに動作させることができる。
【００２２】
【発明の効果】
請求項１記載の熱線センサ付自動スイッチシステムは、人体の検出を行う熱線センサ部を備えた親器と換気扇を接続した換気扇子器とを備え、前記換気扇を制御する熱線センサ付自動スイッチシステムであって、前記熱線センサ部の検出信号を受けて制御用の無電圧信号を生成する制御回路部を備えてなり、前記換気扇を無電圧接点の動作により制御するようにしたものであることを特徴ととしているので、リレーやマグネットスイッチを用いることなく、前記熱センサ部の出力信号によって前記換気扇を自動的にＯＮ／ＯＦＦさせることができる。
【００２３】
請求項２記載の熱線センサ付自動スイッチシステムは、請求項１記載の構成において、前記親器と前記換気扇子器及び検出子器とを備え、前記検出子器に人体の検出を行う熱線センサ部を備えてなり、前記検出子器の熱線センサ部の検出信号によっても、前記換気扇を無電圧接点の動作により制御するようにしたものであることを特徴としているので、請求項１記載の効果に加えて、リレーやマグネットスイッチを用いることなく、前記検出子器の熱センサ部の出力信号によっても前記換気扇を自動的にＯＮ／ＯＦＦさせることができる。
【００２４】
請求項３記載の熱線センサ付自動スイッチシステムは、請求項１又は請求項２記載の構成において、前記親器に、電源及び前記換気扇子器を接続したユニットを複数系統備えてなり、いずれかのユニットの熱線センサ部の信号を受けて、前記換気扇を無電圧接点により制御するようにしたものであることを特徴としているので、請求項１記載又は請求項２記載の効果に加えて、リレーやマグネットスイッチを用いることなく、複数のユニットからの前記熱線センサ部の出力信号によって前記換気扇を自動的にＯＮ／ＯＦＦさせることができる。
【００２５】
請求項４記載の熱線センサ付自動スイッチシステムは、請求項１乃至請求項３記載の構成において、前記親器又は検出子器に、照明装置と照度を検出する明るさセンサ部とを備えてなり、前記換気扇を照明装置と連動制御するようにしたものであることを特徴としているので、請求項１乃至請求項３記載の効果に加えて、リレーやマグネットスイッチを用いることなく、前記検出子器の熱センサ部及び明るさセンサの出力信号によって前記換気扇と前記照明装置を自動的に連動制御させることができる。
【図面の簡単な説明】
【図１】本発明の実施形態に係る熱線センサ付自動スイッチシステムのブロック回路図である。
【図２】本発明の実施形態１に係る熱線センサ付自動スイッチシステムの配線図のである。
【図３】本発明の実施形態２に係る熱線センサ付自動スイッチシステムの配線図のである。
【図４】従来の熱線センサ付自動スイッチシステムの親器のブロック回路図である。
【図５】従来の熱線センサ付自動スイッチシステムの配線図のである。
【図６】従来の熱線センサ付自動スイッチシステムの他の配線図である。
【符号の説明】
１                    熱線センサ部
２                    明るさセンサ部
３                    切替スイッチ
４                    動作保持時間設定部
５                    制御回路部
６                    開閉部
７                    検出子器ライン信号検出部
８                    定電圧回路
１１、１１ａ、１１ｂ  商用電源端子（親器用）
１２、１２ａ、１２ｂ  照明装置端子
１３、１３ａ、１３ｂ  子器端子（親器用）
１４、１４ａ、１４ｂ  左接続端子
１５、１５ａ、１５ｂ  右接続端子
１６、１６ａ、１６ｂ  子器端子（換気扇子器用）
１７、１７ａ、１７ｂ  換気扇用端子
１８                  開閉用端子
１９ａ、１９ｂ        商用電源端子（換気扇子器用）
２１、２１ａ、２１ｂ  親器
２２、２２ａ、２２ｂ  検出子器
２３、２３ａ、２３ｂ  換気扇子器
１５、１５ａ、１５ｂ  商用電源（照明用）
２６                  商用電源（換気扇用）
３０                  換気扇
３５                  照明装置
【図１】
2004316982.tif 000003
【図２】
2004316982.tif 000004
【図３】
2004316982.tif 000005
【図４】
2004316982.tif 000006
【図５】
2004316982.tif 000007
【図６】
2004316982.tif 000008